(57)【要約】【課題】本発明は、無線通信システムで無線チャネル品質を測定する方法に関する。【解決手段】この方法では、変調信号を通信チャネル上で受信する。変調信号は、変調パラメータを使用して変調されている。復調器は、変調信号を復調するとともに、復調データを生成する（３０５）。前記復調器は、復調データに依存する復号器パフォーマンスインジケーター（ＰＳ）を生成する。次いで、無線チャネル品質インジケーター（ＲＣＱＩ）を生成する。前記無線チャネル品質インジケーターは、本質的に前記変調パラメータに依存しない。【選択図】図３
2008042918.tif 000002
【特許請求の範囲】
【請求項１】
無線チャネル上で変調信号を受信する段階（３０１）と、
復号データを生成するために前記変調信号を復号する段階（３０５）とを具備し、無線通信システムで無線チャネル品質を測定する方法において、
前記復号データに依存して復号器パフォーマンスインジケーターを生成する段階（３０６）と、
変調パラメータに関連する決定された関数の組から、伝達関数を選択する段階（３０７）と、
無線品質インジケーター（ＲＣＱＩ）を生成するために、前記選択した関数を使用して復号器パフォーマンスインジケーターを線形化する段階（３０８）とを具備し、
前記変調信号は、変調パラメータにより変調されており、
前記復号器パフォーマンスインジケーターは、エラー訂正符号の復号に関連する擬シンドローム値をベースとし、
前記無線チャネル品質インジケーターは本質的に前記変調パラメータに依存しないことを特徴とする方法。
【請求項２】
前記復号段階（３０５）は、パンクチュアされたビット列の畳み込み復号を具備することを特徴とする請求項１に記載の方法。
【請求項３】
前記復号器パフォーマンスインジケーターを生成する段階（３０６）は、復号トレリス内の異なるパスで、パンクチュアされていないビットが何回先頭にあるかを計算するとともに、それにより得られた個数を、パンクチュアされていないビットの総数と比較する段階を具備することを特徴とする請求項１〜２のいずれか１項に記載の方法。
【請求項４】
前記無線チャネル品質インジケーターを生成する段階は、前記無線チャネル品質インジケーターを再スケーリング（３０９）する段階を具備することを特徴とする請求項１〜３のいずれか１項に記載の方法。
【請求項５】
前記無線チャネル品質インジケーターを生成する段階は、無線チャネル特性をベースとして平均化ウィンドウの長さを決定する段階（３１０）と、前記平均化ウィンドウ内でいくつかの無線チャネル品質インジケーターを平均化する段階（３１１）とを具備することを特徴とする請求項１〜４のいずれか１項に記載の方法。
【請求項６】
前記無線チャネル品質インジケーターをユーザー端末（２０３）のディスプレイ上に表示する段階をさらに具備することを特徴とする請求項１〜５のいずれか１項に記載の方法。
【請求項７】
前記方法は、前記無線チャネル品質インジケーターをベースとして無線チャネル間で無線信号受信を切り替える段階（３１４）をさらに具備することを特徴とする請求項１〜６のいずれか１項に記載の方法。
【請求項８】
システム上のコンピュータ手段にロードするとともに実行した場合に、請求項１〜７による方法の任意の段階を実行する命令を具備するコンピュータプログラム製品。
【請求項９】
無線チャネル上で変調信号を受信する手段と、
復号データを生成するために前記変調信号を復号する手段とを具備し、無線通信システムで無線チャネル品質を測定するように構成された集積回路において、
前記復号データに依存して復号器パフォーマンスインジケーター（ＰＳ）を生成する段階と、
変調パラメータに関連する決定された関数の組から、伝達関数を選択する段階と、
無線品質インジケーター（ＲＣＱＩ）を生成するために、前記選択した関数を使用して復号器パフォーマンスインジケーターを線形化する段階とを具備し、
前記変調信号は、変調パラメータにより変調されており、
前記復号器パフォーマンスインジケーターは、エラー訂正符号の復号に関連する擬シンドローム値をベースとし、
前記無線チャネル品質インジケーターは本質的に前記変調パラメータに依存しないことを特徴とする集積回路。
【請求項１０】
無線通信システムで無線チャネル品質を測定するように構成された復調器（２０４）であって、
無線チャネル上で変調信号を受信する手段と、
復号データを生成するために前記変調信号を復号する手段とを具備する復調器において、
前記復号データに依存して復号器パフォーマンスインジケーター（ＰＳ）を生成する手段と、
変調パラメータに関連する決定された関数の組から、伝達関数を選択する段階と、
無線品質インジケーター（ＲＣＱＩ）を生成するために、前記選択した関数を使用して復号器パフォーマンスインジケーターを線形化する手段とを具備し、
前記変調信号は、変調パラメータにより変調されており、
前記パフォーマンスインジケーターは、エラー訂正符号の復号に関連する擬シンドローム値をベースとし、
前記無線チャネル品質インジケーターは本質的に前記変調パラメータに依存しないことを特徴とする復調器（２０４）。
【発明の詳細な説明】
【技術分野】
【０００１】
本発明は、通信システムで無線チャネル品質を測定する方法に関する。本発明はまた、対応する集積回路と、復調器と、ソフトウェアプログラム製品とに関する。
【背景技術】
【０００２】
デジタルビデオ放送（ＤＶＢ）環境内のような、多くの通信システムアーキテクチャ内では、１つ又は複数の送信器から種々の無線チャネル上で同一内容が放送される。無線通信システムでは、もし受信品質インジケーター又はレベルが、特定のしきい値を下回ったならば、受信した信号を、他のチャネルに切り替えても良い。この手順はハンドオーバーとして公知である。
【０００３】
無線チャネルは、経時的に変化しうる。なぜなら、受信器は、通信ネットワーク内部で移動している、又は例えば受信器を横切る移動物体があるからである。従って、受信器は、異なる無線チャネルの品質を測定して、どのチャネルが十分なサービス品質を提供しているかを判定するとともに、当該チャネルへのハンドオーバーを実行する必要がありうる。
【０００４】
時分割多重化信号に対しては、現行の受信周波数上で送信信号がない場合には、受信器は、他の周波数の受信を試みても良い。
【０００５】
そのような受信機の電力消費は、重要な問題である。前記受信器は、携帯電話又は全ての型の移動通信機器のような、電池を電源とする機器であっても良い。従って、前記受信機は、現行の無線チャネル及びハンドオーバーを行いうるチャネルに対する受信品質インジケーターを、可能な限り高速に評価する必要がある。
【０００６】
ハンドオーバーの必要を指示する種々の受信品質インジケーターが存在する。そのようなインジケーターの１つは、受信無線周波数電力又は信号強度である。受信器は、異なるチャネルからの受信信号強度を評価した後に、ハンドオーバーを実行するか否かの判定を行う。前記評価は、固定しきい値又は異なるチャネルの比較をベースとしても良い。他の異なる受信品質インジケーターの例は、受信パイロット信号電力、相対受信パイロット信号電力、又は受信信号ノイズ比である。
【０００７】
これらのインジケーターを採用した場合の主な欠点は、マルチパスまたはフェーディングチャネル環境では、広帯域信号に対するハンドオーバー判定の信頼性がそれ程高くないことである。受信パイロット信号の絶対電力の意味を変更する、周波数選択性でありかつ経時的に変化するフェーディングを、これらのチャネルは経験する。異なる受信チャネル間の相対しきい値でも、受信器が対応する信号を復調可能であることを信頼性高く証明することはできない。
【０００８】
Ｒｉｃｈａｒｄ  Ｗ．Ｋｏｒａｌｅｋ他による、「Ｖｉｔｅｒｂｉ  ｄｅｃｏｄｅｒ  ｓｙｎｃｈｒｏｎｉｚａｔｉｏｎ  ａｎｄ  ＢＥＲ  ｍｅａｓｕｒｅｍｅｎｔ ｕｓｉｎｇ ｍｅｔｒｉｃ ｖａｌｕｅｓ」という発明の名称が付された公報では、ビタビ復号器のメトリック値の分布は、通信リンクのＥｂ／Ｎｏに依存することが示されている。同期およびエラーレートに関する目的のためのメトリック分布の特定の基準を解明している。
【０００９】
ヨーロッパ特許出願公開第０  ８６５  １７６号は、特定の情報データ信号とその有効性識別データ信号とを、同一の周波数帯域上で送信する送信波受信器に関する。
【発明の開示】
【発明が解決しようとする課題】
【００１０】
本発明の一目的は、上記で特定された欠点を制限することである。より具体的には、無線チャネル品質を測定するより先進的な方法を発明する。
【発明を実施するための最良の形態】
【００１１】
本発明の第１構成によると、
無線通信システムで無線チャネル品質を測定するための方法であって、次の段階、
無線チャネル上で変調信号を受信する段階と、
復号データを生成するために前記変調信号を復号する段階とを具備する方法において、
前期復号データに依存して復号器パフォーマンスインジケーターを生成する段階と、
変調パラメータに関連する決定された関数の組から、伝達関数を選択する段階と、
無線品質インジケーター（ＲＣＱＩ）を生成するために、前記選択した関数を使用して復号器パフォーマンスインジケーターを線形化する段階とを具備し、
前記変調信号は、変調パラメータにより変調されており、
前記パフォーマンスインジケーターは、エラー訂正符号の復号に関連する擬シンドローム値（ｐｓｅｕｄｏ−ｓｙｎｄｒｏｍｅ  ｖａｌｕｅ）をベースとし、
前記無線チャネル品質インジケーターは本質的に前記変調パラメータに依存しないことを特徴とする方法が開示されている。
【００１２】
本発明の実施形態に従った本発明は、変調パラメータの影響を最小化するために、無線チャネル品質を信頼性高く評価可能であるという利点を具備する。前記無線品質インジケーターは、本質的には、受信データを復号する復号器の能力に依存する。前記無線チャネル品質インジケーターは、信頼性の高い値を与えるのに、数千のデータビットのみを必要とするので、非常に高速に受信された信号の品質に対する評価を与える。
【００１３】
本発明は、前記無線チャネル品質インジケーターをベースとして、無線信号受信を他の通信チャネルに切り替えることを具備する。
【００１４】
さらなる利点は、受信端末内の非常に微小な電力を使用して、無線信号受信の他の通信チャネルへの切り替えが、迅速にかつ効率的に行われ得ることである。
【００１５】
本発明は、それぞれ請求項８，９及び１０に記載の、コンピュータプログラム、集積回路及び復調器にも関する。
【００１６】
本発明の他の構成は、本願に添付された特許請求の範囲で説明する。
【００１７】
本発明の他の特徴及び利点は、添付図面を参照する後続の非限定的な代表的実施形態の説明から明らかになる。
【００１８】
本発明は、トレリス変調を採用した全てのシステムに関して適用可能である。トレリス符号化変調としても公知であるトレリス変調は、帯域が制限されたチャネル上で、非常に効率的な情報送信を可能とする、変調スキームである。トレリス変調されたデータは、ビタビ復号器のような畳み込み復号化器を使用して復調可能である。変調器の端子に、対応する畳み込み符号化器が必要である。畳み込み復号化は、例えば遠隔通信やＤＶＢシステムなどで広範に使用されている。
【００１９】
遠隔通信では、畳み込み符号は、符号化すべき各ｍビットの情報シンボルを、ｎビットのシンボルに変換するタイプのエラー訂正符号である。ここで、ｍ／ｎは、符号化レートである（ｎ＞＝ｍ）。畳み込み符号化用の基本的なハードウェアユニットは、Ｌ＋１段のタップされたシフトレジスタである。ここで、Ｌは、畳み込み符号化器のメモリ段階の個数を表す。
【００２０】
図１は、従来の簡単化された畳み込み符号化器１０１の実施例を図示している。前記符号化器は、入力データのための入力レジスタ１０２と、状態レジスタ１０３とを具備する。この簡単化された実施例では、符号化器は、６本の状態レジスタを具備している。符号化器１０１は、２本のモジュロ２型加算器１０４Ａと１０４Ｂとをさらに具備している。この実施例では、もし入力ビットが同一の値を有していれば、出力としてゼロを与えるとともに、もし入力ビットが互いに異なれば、出力として１を与える。符号化されたビットｘｊとｙｊとをインターリーブするために、それぞれの加算器１０４Ａと１０４Ｂとに対応する異なる出力枝ｘとｙとの符号化されたビットを、符号化器の出力で結合する。
【００２１】
図１の符号化器１０１は、次のように動作する。先ず状態レジスタ１０３を、例えばゼロビットのような、特定のビットで初期化する。次いで、第１入力ビットを入力レジスタ１０２に供給するとともに、モジュロ２加算並びに２本の異なる加算出力枝からのビットｘｊ及びｙｊをインターリーブした後に、符号化器の出力ビットを取得する。
【００２２】
さらに、全ての符号化されたビットを、復号のために受信器に送信しないよう、符号化器１０１の出力ビット列をバンクチュアすることが可能である。符号化後、符号化器１０１の異なる出力枝からの出力ビットｘｊ及びｙｊを、符号化器１０１のそれぞれの出力枝から交互にビットを取得して、ビット列ｘｊ，ｙｊ，ｘｊ＋１，ｙｊ＋１，ｘｊ＋２，ｙｊ＋２，…を生成するようにインターリーブする。
【００２３】
ここで、符号化スキームに依存して、ビット列から特定のビットを除去して、復調器に送信されるパンクチュアされたビット列を生成することが可能である。もし、送信されたビット列内で、例えばビットｘｊ＋１，ｙｊ＋１のように、同一の添え字によって特定されるビットが残っているならば、これらのビットは、パンクチュアされていないビットという。パンクチュアすることによって、より少ない数のビットを無線チャネル上で送信すれば足りるので、バンド幅を節約可能である。もし適度な数のビットに限ってパンクチュアすれば、復号器パフォーマンスはそれ程悪化しない。
【００２４】
畳み込み符号を復号するための３つの一般的な方法がある。一方の極端な例として、ビタビアルゴリズムは、最尤復号を実行するとともに、最適パフォーマンスを達成するが、高価なハードウェアストレージ及び計算を必要とする。他方の極端な例として、フィードバック復号は、簡単化されたハードウェアのためにパフォーマンスを犠牲にする。これらの極端な例の間で、シーケンシャル復号は、復号器の複雑度に依存する程度に最適なパフォーマンスを目指す。
【００２５】
後続の代表的な実施形態では、ビタビ復号器を採用している。最尤復号器は、全受信列を検査するとともに、次いで受信符号からの最小のハミング距離を有する有効パスを捜すよう試みる。２個のベクトル間のハミング距離は、前記ベクトル内の異なる要素の数に等しいものとして定義される。例えば、もしＸ＝（０  １  ０）であるとともにＹ＝（０  ０  １）であれば、第２及び第３要素が異なるので、ハミング距離は２となる。利用可能なパスの数は、度々大きくなるとともに、従ってビタビアルゴリズムでは、生存パスを限定するために最尤原理（ｍａｘｉｍｕｍ−ｌｉｋｅｌｉｈｏｏｄ  ｐｒｉｎｃｉｐｌｅｓ）を適用する。
【００２６】
ビタビ復号は、いくつかの枝を具備する符号トレリスによって説明可能であるとともに、ビタビ復号器は、各生存パスの各枝に、受信符号の対応する枝からのそのハミング距離と等しいメトリックを割り当てる。枝メトリックを合計して、累積パスメトリックを生成するとともに、最後に最小パスメトリックを有する生存パスとして受信符号を復号する。
【００２７】
ビタビ復号器は、前後方復号器といっても良い。前方復号化アルゴリズムの間、前記符号化器の取りうる各出力に対して、累積パスメトリックを計算する。前方フェーズの終わりに、後方フェーズの開始点として、最小パスメトリックを選択する。後方フェーズの間、最小値を有するパスメトリックに対応するパスを、符号トレリス内で後方に辿って、それによって符号化器の入力を復号する。
【００２８】
ここで、図２を参照する。本発明の実施形態を適用可能な通信システムを表している。このシステム内では、デジタルテレビストリームのような、同一の内容を、送信器２０１と２０２とが、受信器２０３に対して送出している。データストリームは、環境と送信器とに依存した種々の無線チャネルを辿る。例えば、送信器２０１と２０２とが、異なる周波数を使用するとともに、各送信は、エコーを経験する。
【００２９】
前記受信器２０３は、この実施例では、汎用シリアルバス（ＵＳＢ）リンクで復調器２０４に接続したポータブルコンピュータ２０３である。通常、前記復調器は、種々の無線チャネルから信号を受信するとともに、チューナー２０６に接続されているアンテナ２０５を具備している。
【００３０】
前記チューナー２０６は、無線チャネルを選択するともに、対応するデータストリームを処理して、ビタビ復号器２０７に処理済データストリームを提供するように構成される。同様に、ビタビ復号器２０７は、コンピュータ２０３に、復号済みデータを供給する。
【００３１】
前記復調器２０４は、無線チャネルの品質を測定するとともに、以下に詳細に説明するように、対応する無線チャネル品質インジケーター（ＲＣＱＩ）をチューナー２０６に設けるように構成された測定モジュール２０８をさらに具備する。
【００３２】
前記復調器２０４の他の通常の構成要素を使用するが、本明細書では示さない。
【００３３】
ここで、図３を参照する。本発明の実施形態を、ここでより詳細に説明する。段階３０１で、復調器２０４は変調信号を受信する。前記変調信号は、特定の変調パラメータを使用して変調されている。変調パラメータの例は、例えば、変調スキーム及び符号化レートである。
【００３４】
段階３０２で、受信信号を等化する。送信器から受信器への信号伝達の間に受けた信号ひずみを、等化中に補償する。
【００３５】
次に、段階３０３で、不要な周波数をフィルタ除去するために等化済み信号をフィルタするとともに、次いで段階３０４で、復号により良く適合させるために、前記信号を増幅する。
【００３６】
段階３０１から３０４までは、チューナー２０６及び復調器２０４の他の通常の構成要素で、通常の方法により実行するとともに、本明細書ではこれ以上詳細に説明しない。
【００３７】
段階３０５で、この場合は、図１を参照して説明するように、復号器２０７で、前後方復号スキームを使用して、変調信号を復号する。
【００３８】
復号の前方フェーズの間、段階３０６で、復号効率を示す復号器パフォーマンスインジケーターを計算する。説明する実施例では、復号器パフォーマンスインジケーターは、いわゆる擬シンドローム（ｐｓｅｕｄｏ−ｓｙｎｄｒｏｍｅ，ＰＳ）値をベースとする。この擬シンドロームは、０及び１の間の値を取る、緩やかに変化する（ｓｏｆｔ）値であるとともに、復号器入力サンプルの畳み込み生成と互換性のあるシンボルとしての確実度の代表である。ここでいう畳み込み生成と互換性があることとは、受信ビットが、符号化器に続く状態と一致することである。
【００３９】
擬シンドロームは、いくつかの方法で計算可能である。擬シンドロームを計算する一方法は、“Ｐｓｅｕｄｏ−ｓｙｎｄｒｏｍｅ  ｍｅｔｈｏｄ  ｆｏｒ  ｓｕｐｅｒｖｉｓｉｎｇ  Ｖｉｔｅｒｂｉ  ｄｅｃｏｒｄｅｒｓ  ａｔ  ａｎｙ  ｃｏｄｉｎｇ  ｒａｔｅ”，Ｃ．Ｂｅｒｒｏｕ  ａｎｄ  Ｃ．Ｄｏｕｉｌｌａｒｄ，  ＩＥＥＥ  Ｅｌｅｃｔｒｏｎｉｃｓ  Ｌｅｔｔｅｒｓ，  ２３ｒｄ  Ｊｕｎｅ  １９９４，  Ｖｏｌ  ３０，  Ｎｏ．１３に開示されている。
【００４０】
この実施例では、符号化データストリームの異なる出力枝から、同一のレジスタ状態に対応するパンクチュアされていないビットｘｊ及びｙｊを取るとともに、復号トレリスの異なるパスでパンクチュアされていないビットが何回先頭にあるか、復号トレリスで計算することによって、擬シンドロームを計算する。
【００４１】
この数を、次いでパンクチュアされていないビットの総数と比較して、擬シンドローム値を配信する。この実施例では、この値が復号器パフォーマンスインジケーターである。
【００４２】
取得した復号器パフォーマンスインジケーターは、変調パラメータに依存するとともに、それ程良い実際の無線チャネル品質のインジケーターではない。さらには、復号器パフォーマンスインジケーターは、瞬間的な値を表し、そしてもし無線チャネルが時間とともに変化するならば、それはそれ程復号器パフォーマンスの信頼性の高い指標を与えない。
【００４３】
前記復号器パフォーマンスインジケーターは、受信された信号のビットエラーレート（ＢＥＲ）と関連させて表示しても良い。
【００４４】
図４は、ＢＥＲ値のような、受信信号品質を参照して前記復号器パフォーマンスインジケーターがどのように表されるかの一例を示す。
【００４５】
上述の実施形態では、復号器パフォーマンスインジケーターの生成は、デコーダー２０７によって直接実行する。
【００４６】
次に、前記復号器パフォーマンスインジケーターをベースとして、無線チャネル品質インジケーター（ＲＣＱＩ）を生成する。
【００４７】
前記生成段階は、段階３０７で決定済み伝達関数の組から伝達関数を選択する段階を具備する。これらの関数は、変調パラメータをベースとして決定する。特定の一関数は、変調パラメータの各組と関連付けられる。
【００４８】
前記生成段階は、段階３０８で、現行の変調パラメータに対応する伝達関数の使用によって、パフォーマンスインジケーターを線形化する段階を具備する。結果として、本質的に前記変調パラメータに依存しないとともに、無線チャネル品質のみを表す、瞬間的なＲＣＱＩが生成される。
【００４９】
この目的のために、例えば線形関数を使用しても良い。各変調パラメータに対し、パラメータの組（ａ，ｂ）を定義しても良い。全ての取りうるパラメータ値を使用したシミュレーションを介してパラメータの組（ａ，ｂ）を取得する。次いで、例えば次の式：ＲＣＱＩ＝ａ×ＰＳ＋ｂからＲＣＱＩを取得する。
【００５０】
次いで、瞬間的なＲＣＱＩを、段階３０９で再スケーリングして、例えばゼロ及び１００の間のような、都合の良いスケール上に分散する。瞬間的な値を表している復号器パフォーマンスインジケーターをベースとしているので、当該段階で取得するＲＣＱＩ値も、瞬間的な値を表している。
【００５１】
平均ＲＣＱＩ値を取得するために、平均化ウィンドウでいくつかの瞬間的なＲＣＱＩのサンプルを平均する。段階３１０で、平均化ウィンドウの長さを決定する。前記平均化ウィンドウの長さは、無線チャネル特性に依存するのが好ましい。例えば、受信器が急速に変化する無線チャネルを経験しているならば、前記平均化ウィンドウの長さを増やす。一方、無線チャネル品質が特定の期間では本質的に安定ならば、前記ウィンドウの長さはより短くても良い。
【００５２】
次いで、段階３１１で、瞬間的なチャネル品質を表すＲＣＱＩのサンプルを平均して、平均無線チャネル品質を示すＲＣＱＩ値を生成する。このように、平均化の目的は、無線チャネル上の本質的でない変化に依存しないＲＣＱＩ値を生成することである。例えば、通過中の車の検出無線チャネルの品質への影響は、瞬間的なＲＣＱＩ値を平均化することで最小化される。
【００５３】
図５は、受信信号品質を参照したＲＣＱＩの一表示である。この場合、受信信号品質を表す単位は、マルチプロトコルカプセル化エラーレート（ＭＦＥＲ）である。前記ＲＣＱＩで使用する計算方法の結果、このインジケーターは、信号品質に線形に依存するとともに、図５で図示するように直線で表しうる。高ＲＣＱＩ値は、高チャネル品質に対応する。
【００５４】
本発明の実施形態に従うと、ＲＣＱＩは、単に受信器が受信データを復号する能力に依存する。平均チャネル品質を表すＲＣＱＩ値をベースとして、復号器が変調パラメータ及び受信欠陥タイプに依存せずに受信データを復号可能であるかどうか、信頼性高く判定可能である。
【００５５】
本発明に従うと、取得したＲＣＱＩは、無線チャネル品質の表示であるとともに、変調プロトコル、周波数及びそれに類するもののような変調パラメータに依存しない。ＲＣＱＩは、それらの各々の変調パラメータに依存しないように表現されているので、異なる無線チャネルのＲＣＱＩを直接、即ち変換チャート及びそれに類するものを必要とすることなく、比較可能である。このように、取得したＲＣＱＩによって、変調パラメータに係らず、無線チャネルの品質を迅速かつ信頼性高く判定することを可能にする。
【００５６】
実施例では、ＲＣＱＩ値は、例えば受信無線信号を他のチャネルに切り替えるべきであるかどうかを判定するハンドオーバー手順で、チューナー２０６が使用する。この目的のために、受信器は、切り替え得る他のチャネルを走査するとともに、それらのＲＣＱＩを評価する。
【００５７】
段階３１２で、現行の通信チャネルの平均信号品質を表すＲＣＱＩを、固定しきい値ｔと比較する。もし、ＲＣＱＩが前記しきい値ｔと等しい又はそれより大きいならば、現行のチャネルの品質は通信のために十分であるとともに、ハンドオーバーを実行する必要はないと結論付ける。次いで、無線チャネル品質評価手順を再開してＲＣＱＩの値を更新する。
【００５８】
一方、もしＲＣＱＩが前記しきい値ｔより小さければ、現行のチャネルの無線通信品質は、充分良いものでないと結論付ける。次いで、段階３１３で、現行のチャネルのＲＣＱＩを、他のチャネルのＲＣＱＩ値と比較する。異なるチャネルのＲＣＱＩを比較することによって、どのチャネルが最良の無線チャネル品質を提供するのか、受信器は信頼性高く判定する。もし、他のチャネルのＲＣＱＩ値のいずれかが、現行のチャネルのＲＣＱＩ値よりも高ければ、段階３１４で、最大ＲＣＱＩ値を有するチャネルに対してハンドオーバーを実行するのが好ましい。この後、無線チャネル品質評価を再開する。
【００５９】
本発明の一実施形態を、以上で説明したが、他の実施形態もまた可能である。例えば、符号化器は、任意数の状態レジスタ１０３を具備しても良く、かつ本発明は、同様にモジュロ２加算器１０４の個数にも依存しない。
【００６０】
本発明のある実施形態では、次の１つ又は全ては不要である：等化、フィルタリング又は／及び増幅。さらには、上記の説明とは異なる順序でそれらを実行しても良い。
【００６１】
前記コンピュータ２０３のように、ＲＣＱＩ又はＲＣＱＩに依存する他の信号品質情報を、受信器のディスプレイ上で、前記受信器のユーザーに対して表示しても良い。
【００６２】
本発明はまた、システムのコンピュータ手段上でロードするとともに実行した場合に、本発明の実施形態に従った方法を実施可能な、対応するコンピュータプログラム製品に関する。
【００６３】
本発明は同様に、本発明の実施形態に従った方法の任意の段階を実行するように構成されている集積回路に関する。
【００６４】
さらには、本発明は、本発明の実施形態に従った方法の任意の段階を実行するように構成された、対応する復調器に関する。前記復調器は、例えば集積回路として実施可能である。
【００６５】
以上、ＤＶＢ環境で実施形態を説明したが、本発明は他の通信システムにもまた、同様に適用可能である。
【図面の簡単な説明】
【００６６】
【図１】図１は、本発明の実施形態に適用可能な従来技術による畳み込み符号化器のブロック図である。
【図２】図２は、本発明の実施形態が適用可能な通信システムを図式的に表現したものである。
【図３】図３は、本発明の実施形態に従った方法を図説するフローチャートである。
【図４】図４は、復号器パフォーマンスインジケーターと受信された信号の品質との関係を、実施例で表した図である。
【図５】図５は、無線チャネル品質インジケーターと受信された信号の品質との関係を、実施例で表した図である。
【符号の説明】
【００６７】
２０１  送信器
２０２  送信器
２０３  コンピュータ
２０４  復調器
２０６  チューナー
２０７  ビタビ復号器
２０８  測定モジュール
【図１】
2008042918.tif 000003
【図２】
2008042918.tif 000004
【図３】
2008042918.tif 000005
【図４】
2008042918.tif 000006
【図５】
2008042918.tif 000007
【外国語明細書】
2008042918.tif 000008
2008042918.tif 000009
2008042918.tif 000010
2008042918.tif 000011
2008042918.tif 000012
2008042918.tif 000013
2008042918.tif 000014
2008042918.tif 000015
2008042918.tif 000016
2008042918.tif 000017
2008042918.tif 000018
2008042918.tif 000019
2008042918.tif 000020
2008042918.tif 000021
2008042918.tif 000022
2008042918.tif 000023
2008042918.tif 000024
2008042918.tif 000025
2008042918.tif 000026